(57)【要約】【課題】  利用者の使い勝手のよい電子掲示板管理装置を提供する。【解決手段】  利用者は、所定のアドレスへ空メールを送信する（画面１）。これに応じてシステムは、掲示板のカテゴリ一覧を本文に記載したメールを作成し、利用者はこれを受信する（画面２）。当該メールには、カテゴリのタイトルとそのカテゴリに関連付けたメールアドレスの一覧が記載される。利用者は、関心のあるカテゴリに対応するメールアドレスを選択する。これにより、端末付属のメーラーが起動し、メールの送信が行なわれる（画面３）。対応するカテゴリに含まれるスレッド一覧が本文に記載されたメールが、システムで作成され、端末で受信される（画面５）。利用者が読みたいスレッドの下に書かれたアドレスにメールを送ると、そのスレッドに投稿された投稿一覧がメールとして利用者に送信されてくる（画面８）。【選択図】        図３
2006119821.tif 000002
【特許請求の範囲】
【請求項１】
電子掲示板のカテゴリを記憶するカテゴリ記憶手段、前記電子掲示板の各カテゴリのスレッドを記憶するスレッド記憶手段、および前記電子掲示板の各スレッドの投稿を記憶する投稿記憶手段から、電子メールを用いて利用者の所望するデータを送信する電子掲示板管理装置であって、
通信回線を通じて外部より電子メールを受信する受信手段と、
前記受信手段により受信した電子メールのアカウントを判定することで、前記電子メールが前記電子掲示板のカテゴリ一覧を要求する第１の種類の電子メールか、前記カテゴリ中の特定のカテゴリのスレッド一覧を要求する第２の種類の電子メールか、前記スレッド中の特定のスレッドの投稿一覧を要求する第３の種類の電子メールかを判定する判定手段と、
前記電子メールが前記第１の種類の電子メールであると判定されたときに、前記カテゴリ記憶手段に記憶されたカテゴリに基づいて、カテゴリ一覧メールを作成し、前記電子メールの送信元に返信する第１の返信手段と、
前記電子メールが前記第２の種類の電子メールであると判定されたときに、前記スレッド記憶手段に記憶された特定のスレッドに基づいて、スレッド一覧メールを作成し、前記電子メールの送信元に返信する第２の返信手段と、
前記電子メールが前記第３の種類の電子メールであると判定されたときに、前記投稿記憶手段に記憶された特定の投稿に基づいて、スレッド本文メールを作成し、前記電子メールの送信元に返信する第３の返信手段とを備え、
前記第１の返信手段は、前記第２の種類の電子メールを作成するためのアドレス情報を含めたメールを作成して、前記電子メールの送信元に返信し、
前記第２の返信手段は、前記第３の種類の電子メールを作成するためのアドレス情報を含めたメールを作成して、前記電子メールの送信元に返信する、電子掲示板管理装置。
【請求項２】
前記第２の返信手段は、スレッド作成メールを作成するためのアドレス情報を含めたメールを作成して、前記電子メールの送信元に返信し、前記判定手段において、前記電子メールがスレッド作成メールであると判定されたときに、新規スレッドデータを作成して前記スレッド記憶手段に保存する保存手段を備えた、請求項１に記載の電子掲示板管理装置。
【請求項３】
電子掲示板のカテゴリを記憶するカテゴリ記憶手段、前記電子掲示板の各カテゴリのスレッドを記憶するスレッド記憶手段、および前記電子掲示板の各スレッドの投稿を記憶する投稿記憶手段から、電子メールを用いて利用者の所望するデータを送信する電子掲示板管理プログラムであって、
通信回線を通じて外部より電子メールを受信する受信ステップと、
前記受信ステップにより受信した電子メールのアカウントを判定することで、前記電子メールが前記電子掲示板のカテゴリ一覧を要求する第１の種類の電子メールか、前記カテゴリ中の特定のカテゴリのスレッド一覧を要求する第２の種類の電子メールか、前記スレッド中の特定のスレッドの投稿一覧を要求する第３の種類の電子メールかを判定する判定ステップと、
前記電子メールが前記第１の種類の電子メールであると判定されたときに、前記カテゴリ記憶手段に記憶されたカテゴリに基づいて、カテゴリ一覧メールを作成し、前記電子メールの送信元に返信する第１の返信ステップと、
前記電子メールが前記第２の種類の電子メールであると判定されたときに、前記スレッド記憶手段に記憶された特定のスレッドに基づいて、スレッド一覧メールを作成し、前記電子メールの送信元に返信する第２の返信ステップと、
前記電子メールが前記第３の種類の電子メールであると判定されたときに、前記投稿記憶手段に記憶された特定の投稿に基づいて、スレッド本文メールを作成し、前記電子メールの送信元に返信する第３の返信ステップとをコンピュータに実行させ、
前記第１の返信ステップは、前記第２の種類の電子メールを作成するためのアドレス情報を含めたメールを作成して、前記電子メールの送信元に返信し、
前記第２の返信ステップは、前記第３の種類の電子メールを作成するためのアドレス情報を含めたメールを作成して、前記電子メールの送信元に返信する、電子掲示板管理プログラム。
【請求項４】
前記第２の返信ステップは、スレッド作成メールを作成するためのアドレス情報を含めたメールを作成して、前記電子メールの送信元に返信し、前記判定ステップにおいて、前記電子メールがスレッド作成メールであると判定されたときに、新規スレッドデータを作成して前記スレッド記憶手段に保存する保存ステップをさらにコンピュータに実行させる、請求項３に記載の電子掲示板管理プログラム。
【発明の詳細な説明】
【技術分野】
【０００１】
この発明は電子掲示板管理装置および電子掲示板管理プログラムに関し、特にカテゴリとスレッドに分類して利用者からの投稿を受付ける電子掲示板管理装置および電子掲示板管理プログラムに関する。
【背景技術】
【０００２】
従来より、サーバに電子掲示板のデータを格納し、インターネットに接続された携帯電話、携帯端末、およびパーソナルコンピュータ（ＰＣ）のブラウザでそれらを閲覧させたり、投稿を受付ける電子掲示板管理システムが知られている。
【０００３】
このような技術に関連して、以下の特許文献１においては、インターネット上に設けられた電子掲示板の記事などをＷＷＷブラウザを使用して参照できるようにした、情報参照システムが開示されている。
【０００４】
また、特許文献２においては、ユーザである読者が記事投稿に参加してこれをネットワーク上で閲覧することができる、オンラインマガジンの編集システムが開示されている。
【特許文献１】特開平１１−２３２２０２号公報
【特許文献２】特開２００２−２４４６７号公報
【発明の開示】
【発明が解決しようとする課題】
【０００５】
しかしながら、上述のようなブラウザを用いて電子掲示板を利用者に閲覧させたり、投稿を受付けるシステムにおいては以下のような問題点がある。
【０００６】
利用者は電子掲示板の内容を自己の所有する装置に保存するために、特定の操作をすることが必要であり使い勝手が悪いという問題がある。また、掲示板の内容を他の人に転送することが困難であるという問題がある。さらに、利用者の操作により特定のサイトにアクセスを行ない、主体的に閲覧を行なわなければ情報を得ることができない。
【０００７】
この発明は、上述の問題点を解決するためになされたものであり、利用者の使い勝手のよい電子掲示板管理装置および電子掲示板管理プログラムを提供することを目的としている。
【課題を解決するための手段】
【０００８】
上記目的を達成するため、この発明のある局面に従うと、電子掲示板管理装置は、電子掲示板のカテゴリを記憶するカテゴリ記憶手段、電子掲示板の各カテゴリのスレッドを記憶するスレッド記憶手段、および電子掲示板の各スレッドの投稿を記憶する投稿記憶手段から、電子メールを用いて利用者の所望するデータを送信する電子掲示板管理装置であって、通信回線を通じて外部より電子メールを受信する受信手段と、受信手段により受信した電子メールのアカウントを判定することで、電子メールが電子掲示板のカテゴリ一覧を要求する第１の種類の電子メールか、カテゴリ中の特定のカテゴリのスレッド一覧を要求する第２の種類の電子メールか、スレッド中の特定のスレッドの投稿一覧を要求する第３の種類の電子メールかを判定する判定手段と、電子メールが第１の種類の電子メールであると判定されたときに、カテゴリ記憶手段に記憶されたカテゴリに基づいて、カテゴリ一覧メールを作成し、電子メールの送信元に返信する第１の返信手段と、電子メールが第２の種類の電子メールであると判定されたときに、スレッド記憶手段に記憶された特定のスレッドに基づいて、スレッド一覧メールを作成し、電子メールの送信元に返信する第２の返信手段と、電子メールが第３の種類の電子メールであると判定されたときに、投稿記憶手段に記憶された特定の投稿に基づいて、スレッド本文メールを作成し、電子メールの送信元に返信する第３の返信手段とを備え、第１の返信手段は、第２の種類の電子メールを作成するためのアドレス情報を含めたメールを作成して、電子メールの送信元に返信し、第２の返信手段は、第３の種類の電子メールを作成するためのアドレス情報を含めたメールを作成して、電子メールの送信元に返信する。
【０００９】
好ましくは第２の返信手段は、スレッド作成メールを作成するためのアドレス情報を含めたメールを作成して、電子メールの送信元に返信し、電子掲示板管理装置は、判定手段において、電子メールがスレッド作成メールであると判定されたときに、新規スレッドデータを作成してスレッド記憶手段に保存する保存手段を備える。
【００１０】
この発明の他の局面に従うと、電子掲示板管理プログラムは、電子掲示板のカテゴリを記憶するカテゴリ記憶手段、電子掲示板の各カテゴリのスレッドを記憶するスレッド記憶手段、および電子掲示板の各スレッドの投稿を記憶する投稿記憶手段から、電子メールを用いて利用者の所望するデータを送信する電子掲示板管理プログラムであって、通信回線を通じて外部より電子メールを受信する受信ステップと、受信ステップにより受信した電子メールのアカウントを判定することで、電子メールが電子掲示板のカテゴリ一覧を要求する第１の種類の電子メールか、カテゴリ中の特定のカテゴリのスレッド一覧を要求する第２の種類の電子メールか、スレッド中の特定のスレッドの投稿一覧を要求する第３の種類の電子メールかを判定する判定ステップと、電子メールが第１の種類の電子メールであると判定されたときに、カテゴリ記憶手段に記憶されたカテゴリに基づいて、カテゴリ一覧メールを作成し、電子メールの送信元に返信する第１の返信ステップと、電子メールが第２の種類の電子メールであると判定されたときに、スレッド記憶手段に記憶された特定のスレッドに基づいて、スレッド一覧メールを作成し、電子メールの送信元に返信する第２の返信ステップと、電子メールが第３の種類の電子メールであると判定されたときに、投稿記憶手段に記憶された特定の投稿に基づいて、スレッド本文メールを作成し、電子メールの送信元に返信する第３の返信ステップとをコンピュータに実行させ、第１の返信ステップは、第２の種類の電子メールを作成するためのアドレス情報を含めたメールを作成して、電子メールの送信元に返信し、第２の返信ステップは、第３の電子メールを作成するためのアドレス情報を含めたメールを作成して、電子メールの送信元に返信する。
【００１１】
好ましくは第２の返信ステップは、スレッド作成メールを作成するためのアドレス情報を含めたメールを作成して、電子メールの送信元に返信し、電子掲示板管理プログラムは、判定ステップにおいて、電子メールがスレッド作成メールであると判定されたときに、新規スレッドデータを作成してスレッド記憶手段に保存する保存ステップをさらにコンピュータに実行させる。
【発明の効果】
【００１２】
上述した電子掲示板管理装置および電子掲示板管理プログラムによると、電子掲示板のカテゴリ、各カテゴリのスレッド、および投稿を電子メールの形態で外部へ送信することができるため、利用者は閲覧している投稿の内容を保存するための特別な操作を必要とせずに、その内容を装置に保存することができるという効果がある。また、保存された内容を電子メールの形式で他の装置に転送することも容易である。
【００１３】
従って、本発明によると、利用者の使い勝手のよい電子掲示板管理装置および電子掲示板管理プログラムを提供することが可能となる。
【発明を実施するための最良の形態】
【００１４】
図１は、本発明の実施の形態の１つにおける電子掲示板管理システムの構成を示す図である。
【００１５】
図を参照して、電子掲示板管理システムは、電子メールを用いた電子掲示板への投稿を受付け、投稿内容の提供を行なう投稿サーバ１００と、電子掲示板のデータであるカテゴリ、スレッド、およびスレッド本文（投稿内容）を記憶するデータ記憶サーバ２００と、メールの送受信を行なうためのメールサーバ３００とから構成される。
【００１６】
メールサーバ３００は、インターネットＮに接続され、インターネットＮを介して、外部のパーソナルコンピュータ（ＰＣ）４００や、携帯電話５００などの携帯端末と電子メールの送受信が可能となっている。
【００１７】
投稿サーバ１００は、受信したメールごとに処理を行ない、利用者に返信するメールを作成する。投稿サーバ１００は、以下の機能を有する動作部を備えている。
【００１８】
・メール判定部１１３…受信したメールのアカウントに応じた処理を決定する。
【００１９】
・カテゴリ一覧作成部１０１…カテゴリ一覧を本文にしたメールを作成する。本実施の形態では、top@bbs.jp宛てのメールを受信したときに、この処理を行なうこととしている。
【００２０】
・スレッド一覧作成部１０３…スレッド一覧を本文にしたメールを作成する。本実施の形態では、スレッド一覧の一例として、beauty@bbs.jp宛てのメールを受信したときに、カテゴリ「ビューティー」のスレッド一覧を記載したメールを作成する処理について説明する。
【００２１】
・スレッド作成部１０５…新規スレッドを作成する。本実施の形態では、スレッドの一例としてth-beauty@bbs.jp宛てのメールを受信したときに、カテゴリ「ビューティー」に新規スレッドを作成する処理について説明する。
【００２２】
・投稿詳細作成部１０７…スレッド本文メールの本文（投稿内容）で表示されている投稿のうち、一部しか表示されていない投稿の全文を本文にしたメールを作成する。本実施の形態では例として、d2250001@bbs.jp宛てのメールを受信したときに、それに対応する投稿の全文を記載したメールを作成する処理について説明する。
【００２３】
・スレッド本文作成部１０９…利用者が閲覧要求したスレッドに投稿された投稿を一覧にしたメールを作成する。本実施の形態では例として、0001@bbs.jp宛てのメールを受信したときに、それに対応するスレッドの投稿内容の一覧を記載したメールを作成する処理について説明する。
【００２４】
・投稿受付部１１１…利用者の投稿を受付ける。実施の形態では例として、e-0001@bbs.jp宛てのメールを受信したときに、それに対応したスレッドに投稿を書込む処理について説明する。
【００２５】
・メールヘッダ作成部１１５…利用者に返信するメールのヘッダに送信先と送信元をセットする処理を実行する。
【００２６】
なお、パーソナルコンピュータ４００や携帯電話５００は、ＣＰＵ、記憶装置、入力装置、通信装置などを備えた周知のものであり、電子メールを送受信するソフトウェアを搭載している。電子メールを送受信するソフトウェアにより、パーソナルコンピュータ４００や携帯電話５００は外部へ電子メールを送信したり、外部から電子メールを受信したり、受信した電子メールを外部機器へ転送したりすることが可能である。
【００２７】
図２は、データ記憶サーバ２００の構成を示す図である。
【００２８】
データ記憶サーバ２００は、以下の記憶部を備えている。
【００２９】
・カテゴリ記憶部２０１…管理者が設定したカテゴリ（投稿テーマ）を保存した記憶部である。以下のデータを対応付けて記憶する。
【００３０】
[カテゴリ番号]：カテゴリ情報を管理するための連番
[タイトル]：投稿テーマの名称
[スレッド一覧用アカウント]：このカテゴリに関連したスレッド一覧を要求するメールアカウント
[スレッド作成用アカウント]：このカテゴリに属するスレッドの作成を要求するメールアカウント
・スレッド記憶部２０３…利用者が作成したスレッドの情報を保存する記憶部である。各スレッドは、カテゴリに関連付けられている。スレッド記憶部２０３は、以下のデータを対応付けて記憶する。
【００３１】
[スレッド番号]：スレッド情報を管理するための連番
[タイトル]：スレッドの名称
[スレッド本文作成用アカウント]：このスレッドに投稿された投稿一覧を要求するメールアカウント
[投稿受付用アカウント]：このスレッドへ投稿を要求するメールアカウント
[カテゴリ番号]：このスレッドに関連したカテゴリ番号
・投稿記憶部２０５…利用者が投稿した投稿データを保存する記憶部である。以下のデータを対応付けて記憶する。
【００３２】
[投稿番号]：投稿情報を管理するための連番
[スレッド番号]：投稿されたスレッドのスレッド番号
[連番]：スレッドごとに付与された連番
[投稿詳細用アカウント]：スレッド本文メールに一部しか表示されない投稿の全文を要求するメールアカウント
[投稿者メールアドレス]：投稿者のメールアドレス
[受信日時]：投稿日時
[本文]：投稿の本文
[表示本文分]：スレッド本文メールに表示される本文
[表示本文フラグ] ：投稿文が、スレッド本文メールに全文表示される場合は、「０」、一部しか表示できない場合は、「１」
このような構成により、本システムでは、テーマごとに利用者が投稿を行なうことができる。
【００３３】
テーマは、２種類あり、管理者が設定したテーマと、利用者が設定したテーマである。前者をカテゴリとし、後者をスレッドと定義する。このカテゴリとスレッドは、関連付けられており、管理者が設定したカテゴリごとに、利用者がスレッドを作成し、利用者は、スレッドごとに投稿を行なうことになる。
【００３４】
このようにあらかじめ管理者が、大きなテーマを与え、それに関連付けて利用者に自由にスレッドを作成してもらうことで、利用者に自由なコミュニティの場を与えることができる。
【００３５】
以下に、本システムの実際の動作について、パーソナルコンピュータ４００または携帯電話５００など（以下、単に端末という。）に表示される画面の遷移を例に挙げて説明する。
【００３６】
図３および４は、利用者が、端末に内蔵されているメールソフトを用いて本システムを利用したときに、端末の画面に表示されるメール送信フォームや受信メールの内容を示す図である。
【００３７】
図３は、カテゴリ一覧表示から、投稿一覧表示までの画面遷移を説明するための図である。以下、図中の番号と対応付けてそれぞれの画面を説明する。
【００３８】
画面１：利用者は、メールソフトを用いて、所定のアドレス（top@bbs.jp）へ、空メールを送信する。なお、空メールとは、タイトルと本文のないメールである。
【００３９】
画面２：利用者は、上記空メールの送信に応じてシステムが作成したメールである、カテゴリ一覧を本文に記載したメールを受信する。これをカテゴリ一覧メールと呼ぶ。
【００４０】
当該メールの本文には、カテゴリのタイトルとそのカテゴリに関連付けたメールアドレスの一覧が記載される。
【００４１】
画面３：利用者は、画面２の状態から端末の所定の操作を行なうことにより、関心のあるカテゴリのタイトルの下にあるメールアドレスを選択して、決定ボタンを押す。これにより、画面３のように端末付属のメーラーが起動し、送信フォームが表示される。宛先には、選択したメールアドレス（beauty@bbs.jp）が自動的に入力されている。
【００４２】
画面４：利用者は、その送信フォームで空メールを送信する。
【００４３】
画面５：利用者が上記の操作で選択したカテゴリ「ビューティ」に関連するスレッド一覧が本文に記載されたメールが、システムで作成され、端末で受信される。このメールをスレッド一覧メールと呼ぶ。スレッド一覧メールの本文には、スレッドのタイトルとそのスレッドに関連付けたメールアドレスの一覧が表示されている。
【００４４】
画面６：利用者は、画面５の状態から端末の所定の操作を行なうことにより、関心のあるスレッドのタイトルの下にあるメールアドレスを選択して、決定ボタンを押す。これにより、画面６のように端末付属のメーラーが起動し、送信フォームが表示される。宛先には、選択したメールアドレス（0001@bbs.jp）が自動的に入力されている。
【００４５】
画面７：利用者は、その送信フォームで空メールを送信する。
【００４６】
画面８：利用者が選択したスレッドに投稿された投稿一覧を本文に記載したメールが、システムで作成され、端末で受信される。このメールをスレッド本文メールと呼ぶ。
【００４７】
利用者が、新規スレッドを作成する際には、以下の画面操作が利用者により行なわれる。
【００４８】
画面５：受信したスレッド一覧メールの本文の末尾に、メールアドレス（th-beauty@bbs.jp）が記載されている。
【００４９】
画面９：利用者は、端末の所定の操作でそのメールアドレスを選択して、決定ボタンを押す。これにより、画面９のように端末付属のメーラーが起動し、送信フォームが表示される。宛先には、選択したメールアドレス（th-beauty@bbs.jp）が自動的に入力されている。利用者は、作成したいスレッドのタイトルを、送信フォームのタイトルのところに記載し、送信する。
【００５０】
画面１０：以上の操作により、システムは、作成した新規のスレッドを追加したスレッド一覧メールを作成する。当該メールが端末で受信される。
【００５１】
利用者が、スレッド本文メールに表示されている投稿の詳細を閲覧する際には、以下の画面操作が利用者により行なわれる。
【００５２】
図４は、スレッド本文メールの表示から、投稿の詳細の表示が行なわれるまでの画面遷移を説明するための図である。
【００５３】
画面１１：受信したスレッド本文メールの本文に表示されている投稿のうち、その一部しか表示されていない投稿は、その投稿の末尾に、メールアドレス（d2250001@bbs.jp）が記載されている。
【００５４】
画面１２：利用者は、端末の所定の操作でそのメールアドレスを選択して、決定ボタンを押す。これにより、画面１２のように端末付属のメーラーが起動し、送信フォームが表示される。宛先には、選択したメールアドレス（d2250001@bbs.jp）が自動的に入力されている。
【００５５】
画面１３：利用者は、その送信フォームで空メールを送信する。
【００５６】
画面１４：以上の操作により、システムは、対応する投稿の詳細が記載された投稿詳細メールを作成する。当該メールが端末で受信される。これにより利用者は、選択した投稿のすべての内容を知ることができる。
【００５７】
利用者が、スレッドに対して投稿を行なう際には、以下の画面操作が利用者により行なわれる。
【００５８】
画面１１：受信したスレッド本文メールの本文の末尾には、メールアドレス（e-0001@bbs.jp）が記載されている。
【００５９】
画面１５：利用者は、端末の所定の操作でそのメールアドレスを選択して、決定ボタンを押す。これにより、画面１５のように端末付属のメーラーが起動し、送信フォームが表示される。宛先には、選択したメールアドレス（e-0001@bbs.jp）が自動的に入力されている。利用者は、本文に投稿したい内容を記載して、送信する。
【００６０】
画面１６：以上の操作により、システムは、投稿内容を追加したスレッド本文メールを作成する。当該メールが端末で受信される。
【００６１】
図５は、カテゴリ記憶部２０１に記憶されるデータの具体例を示す図である。
【００６２】
本実施の形態では、管理者がカテゴリ「ビューティー」、「ダイエット」、「コスメ」、「恋愛」、および「結婚」を設定しているものとする。
【００６３】
前述のとおり、カテゴリそれぞれに対して、カテゴリ番号、タイトル、スレッド一覧用アカウント、およびスレッド作成用アカウントが記録される。
【００６４】
図６は、スレッド記憶部２０３に記憶されるデータの具体例を示す図である。
【００６５】
スレッド記憶部２０３では、それぞれのカテゴリに対して、利用者が設定したスレッドが記録される。ここでは、カテゴリ「ビューティ」に対しては、スレッド「夏の流行」、「ベストエステは？」、「おしゃれな人は？」、「愛が生まれる服は？」などが設定されており、カテゴリ「ダイエット」に対しては、スレッド「効くダイエット？」、「食欲をなくす方法」、「１０ｋｇだけ減らしたい」などが設定されている。これらのカテゴリ、スレッドで示されるテーマに対して、利用者からの投稿が行なわれる。
【００６６】
前述のとおり、スレッドそれぞれに対して、スレッド番号、タイトル、スレッド本文作成用アカウント、投稿受付用アカウント、およびカテゴリ番号が記憶される。
【００６７】
図７は、投稿記憶部２０５に記憶されるデータの具体例を示す図である。
【００６８】
前述のとおり、投稿それぞれに対して、投稿番号、スレッド番号、連番、投稿詳細用アカウント、投稿者メールアドレス、受信日時、本文、表示本文分、および表示本文フラグが記憶される。
【００６９】
図８は、投稿サーバ１００の、メール判定部１１３の動作を示すフローチャートである。
【００７０】
図を参照して、ステップＳ１０１でメールサーバ３００が電子メールを受信したのであれば、ステップＳ１０３で投稿サーバ１００のメール判定部１１３は受信された電子メールのメールアカウントを取得する。
【００７１】
ステップＳ１０５で電子メールのメールアカウントが判定される。メールアカウントが「ｔｏｐ」であれば、ステップＳ１０７においてカテゴリ一覧作成部１０１はカテゴリ一覧を作成する処理を行なう。その後、ステップＳ１２５でメールヘッダ作成部１１５によりメールヘッダが作成される。
【００７２】
メールアカウントがカテゴリ記憶部２０１のスレッド一覧用アカウントに存在する場合には、ステップＳ１０９においてスレッド一覧作成部１０３は、対応するスレッドの一覧を作成し、ステップＳ１２５の処理に移行する。
【００７３】
メールアカウントがスレッド記憶部２０３のスレッド本文用アカウントに存在する場合には、ステップＳ１１１においてスレッド本文作成部１０９は、対応するスレッドの本文を作成し、ステップＳ１２５の処理に移行する。
【００７４】
メールアカウントが投稿記憶部２０５の投稿詳細用アカウントに存在する場合には、ステップＳ１１３において投稿詳細作成部１０７は、対応する投稿の詳細を作成し、ステップＳ１２５の処理に移行する。
【００７５】
メールアカウントがスレッド記憶部２０３の投稿受付用アカウントに存在する場合には、ステップＳ１１５において投稿受付部１１１は投稿の受付を行ない、投稿記憶部２０５にその内容を記録する。ステップＳ１１７においてスレッド本文作成部１０３は受付けた投稿の内容を含めたスレッド本文を作成し、ステップＳ１２５の処理に移行する。
【００７６】
メールアカウントがカテゴリ記憶部２０１のスレッド作成用アカウントに存在する場合には、ステップＳ１１９においてスレッド作成部１０５は新規スレッドを作成し、スレッド記憶部２０３に格納する。その後、新規スレッドを含めたスレッド一覧をステップＳ１２１で作成し、ステップＳ１２５の処理に移行する。
【００７７】
メールアカウントが上述したもののいずれでもなければ、ステップＳ１２３においてエラーメールが作成され、ステップＳ１２５の処理に移行する。
【００７８】
図９は、カテゴリ一覧、スレッド一覧、およびスレッド本文の作成処理において携帯電話やパーソナルコンピュータなどの端末とサーバとの間で行なわれる処理を示すフローチャートである。
【００７９】
図を参照して、ステップＳ２０１において、カテゴリ一覧を作成するための空メールが端末から送信されたのであれば、ステップＳ２０３でサーバはこれを受信する。ステップＳ２０５でサーバは、その内容に基づきカテゴリ一覧メールを作成し、ステップＳ２０７でカテゴリ一覧メールを空メールを送信した端末に対して送信する。ステップＳ２０９で端末はカテゴリ一覧メールを受信する。
【００８０】
受信された内容に基づき、利用者はステップＳ２１１において閲覧したいカテゴリを選択する。ステップＳ２１３においてカテゴリを選択するための空メールが端末からサーバに対し送信されると、ステップＳ２１５でサーバはこれを受信する。
【００８１】
ステップＳ２１７でサーバは、スレッド一覧メールを作成し、ステップＳ２１９でスレッド一覧メールを空メールを送信した端末に対して送信する。ステップＳ２２１で端末はスレッド一覧メールを受信する。
【００８２】
受信された内容に基づき、利用者はステップＳ２２３において閲覧したいスレッドを選択する。ステップＳ２２５においてスレッドを選択するための空メールが端末からサーバに対し送信されると、ステップＳ２２７でサーバはこれを受信する。
【００８３】
ステップＳ２２９でサーバは、スレッド本文メールを作成し、ステップＳ２３１でスレッド本文メールを空メールを送信した端末に対して送信する。ステップＳ２３３で端末はスレッド本文メールを受信する。
【００８４】
以上のような処理により、利用者は端末を操作することにより、カテゴリ一覧、スレッド一覧およびスレッド本文を順に取得することができる。
【００８５】
図１０は、投稿詳細メールを作成する処理において携帯電話やパーソナルコンピュータなどの端末とサーバとの間で行なわれる処理を示すフローチャートである。
【００８６】
図を参照して、ステップＳ３０１で端末はスレッド本文メールを受信する。ステップＳ３０３で投稿を選択する空メールが端末からサーバに送信されると、ステップＳ３０５でサーバはそれを受信する。
【００８７】
ステップＳ３０７でサーバにおいて、対応する投稿の投稿詳細メールが作成され、ステップＳ３０９でそれが端末に送信され、ステップＳ３１１で端末で受信が行なわれる。
【００８８】
図１１は、投稿を受付ける処理において携帯電話やパーソナルコンピュータなどの端末とサーバとの間で行なわれる処理を示すフローチャートである。
【００８９】
図を参照して、ステップＳ３３１で端末はスレッド本文メールを受信する。ステップＳ３３３で、本文に投稿する内容が記載され、投稿するスレッドがアカウントで指定された空メールが端末からサーバに送信されると、ステップＳ３３５でサーバはそれを受信する。
【００９０】
ステップＳ３３７でサーバにおいて、対応する投稿データが保存され、ステップＳ３３９で新たな投稿の内容が付加されたスレッド本文メールが作成される。ステップＳ３４１でそれが端末に送信され、ステップＳ３４３で端末で受信が行なわれる。
【００９１】
図１２は、スレッドを作成する処理において携帯電話やパーソナルコンピュータなどの端末とサーバとの間で行なわれる処理を示すフローチャートである。
【００９２】
図を参照して、ステップＳ３６１で端末はスレッド一覧メールを受信する。ステップＳ３６３で、サブジェクト（タイトル）または本文にスレッド名が記載され、カテゴリがアカウントで指定された空メールが端末からサーバに送信されると、ステップＳ３６５でサーバはそれを受信する。
【００９３】
ステップＳ３６７でサーバにおいて、対応するスレッドのデータが保存され、ステップＳ３６９で新たなスレッドの内容が付加されたスレッド一覧メールが作成される。ステップＳ３７１でそれが端末に送信され、ステップＳ３７３で端末で受信が行なわれる。
【００９４】
次に、図８に示されるフローチャートでの処理をより詳細に説明する。
【００９５】
図１３は、カテゴリ一覧メールを作成する処理を示すフローチャートである。
【００９６】
図を参照して、ステップＳ４０１で受信されたメールのアカウントが取得され、ステップＳ４０３でそれが「ｔｏｐ」と同じであると判定されたときには、ステップＳ４０５でカテゴリ記憶部２０１からカテゴリのデータが取得され、ステップＳ４０７で当該データに基づいてカテゴリ一覧メールが作成される。
【００９７】
ステップＳ４０９で、メールヘッダが作成されて付加される。ここに、メールヘッダにおける送信先を示す欄には、空メールを送信した者のメールアドレスが記載され、送信元を示す欄には、「ｔｏｐ＠ｂｂｓ．ｊｐ」が記載されるものとする。
【００９８】
図１４は、カテゴリ一覧メールの構成を示す図である。
【００９９】
図を参照して、カテゴリ一覧メールには、複数のカテゴリのタイトルと、それぞれのタイトルに対応するメールアドレスが記載されている。そのメールアドレスは、タイトルに対応するスレッド一覧アカウントに、「＠ｂｂｓ．ｊｐ」を付加したものである。
【０１００】
図１５は、スレッド一覧メールを作成する処理を示すフローチャートである。
【０１０１】
図を参照して、ステップＳ５０１で受信されたメールのアカウントが取得され、ステップＳ５０３でそれがカテゴリ記憶部２０１のスレッド一覧用アカウントに存在すると判定されたときには、ステップＳ５０５でカテゴリ記憶部２０１から、対応するカテゴリのカテゴリ番号とスレッド作成用アカウントのデータが取得される。取得されたカテゴリ番号に基づき、ステップＳ５０７でスレッド記憶部２０３からスレッドデータが取得され、ステップＳ５０９で当該データに基づいてスレッド一覧メールが作成される。
【０１０２】
ステップＳ５１１で、メールヘッダが作成されて付加される。ここに、メールヘッダにおける送信先を示す欄には、空メールを送信した者のメールアドレスが記載され、送信元を示す欄には、スレッド一覧用アカウントに「＠ｂｂｓ．ｊｐ」を付加したものが記載されるものとする。
【０１０３】
図１６は、スレッド一覧メールの構成を示す図である。
【０１０４】
図を参照して、スレッド一覧メールには、複数のスレッドのタイトルと、それぞれのタイトルに対応するメールアドレスが記載されている。そのメールアドレスは、タイトルに対応するスレッド本文用アカウントに、「＠ｂｂｓ．ｊｐ」を付加したものである。
【０１０５】
また、スレッド一覧メールの最下部には、新規スレッドを作成するためのメールアドレスが記載されている。
【０１０６】
図１７は、スレッド本文メールを作成する処理を示すフローチャートである。
【０１０７】
図を参照して、ステップＳ６０１で受信されたメールのアカウントが取得され、ステップＳ６０３でそれがスレッド記憶部２０３のスレッド本文用アカウントに存在すると判定されたときには、ステップＳ６０５でスレッド記憶部２０３から、対応するスレッドのスレッド番号が取得される。取得されたスレッド番号に基づき、ステップＳ６０７で投稿記憶部２０５から投稿データが取得され、ステップＳ６０９で当該データに基づいてスレッド本文メールが作成される。
【０１０８】
ステップＳ６１１で、メールヘッダが作成されて付加される。ここに、メールヘッダにおける送信先を示す欄には、空メールを送信した者のメールアドレスが記載され、送信元を示す欄には、スレッド本文用アカウントに「＠ｂｂｓ．ｊｐ」を付加したものが記載されるものとする。
【０１０９】
図１８は、スレッド本文メールの構成を示す図である。
【０１１０】
図を参照して、スレッド本文メールには、投稿の連番と、受信日時と、投稿内容のデータと、文字数が所定値以上の投稿にはそれに対応する全文を読むためのメールアドレスとが記載されている。そのメールアドレスは、対応する投稿詳細用アカウントに、「＠ｂｂｓ．ｊｐ」を付加したものである。
【０１１１】
また、スレッド本文メールの最下部には、そのスレッドに投稿を行なうためのメールアドレスが記載されている。
【０１１２】
図１９は、投稿詳細メールを作成する処理を示すフローチャートである。
【０１１３】
図を参照して、ステップＳ７０１で受信されたメールのアカウントが取得され、ステップＳ７０３でそれが投稿記憶部２０５の投稿詳細用アカウントに存在すると判定されたときには、ステップＳ７０５で投稿記憶部２０５から対応する投稿の詳細データが取得され、ステップＳ７０７で当該データに基づいて投稿詳細メールが作成される。
【０１１４】
ステップＳ７０９で、メールヘッダが作成されて付加される。ここに、メールヘッダにおける送信先を示す欄には、空メールを送信した者のメールアドレスが記載され、送信元を示す欄には、投稿詳細用アカウントに「＠ｂｂｓ．ｊｐ」を付加したものが記載されるものとする。
【０１１５】
図２０は、投稿を受付ける処理を示すフローチャートである。
【０１１６】
図を参照して、ステップＳ８０１で受信されたメールのアカウントが取得され、ステップＳ８０３でそれがスレッド記憶部２０３の投稿受付用アカウントに存在すると判定されたときには、ステップＳ８０５でスレッド記憶部２０３から対応するスレッド番号が取得され、ステップＳ８０７で当該データに基づいて投稿データが作成され、投稿記憶部２０５に保存される。
【０１１７】
ステップＳ８０９で、スレッド本文メールが作成される。
【０１１８】
図２１は、スレッドを作成する処理を示すフローチャートである。
【０１１９】
図を参照して、ステップＳ９０１で受信されたメールのアカウントが取得され、ステップＳ９０３でそれがカテゴリ記憶部２０１のスレッド作成用アカウントに存在すると判定されたときには、ステップＳ９０５でカテゴリ記憶部２０１から対応するカテゴリ番号が取得され、ステップＳ９０７で当該データに基づいてスレッドデータが作成され、スレッド記憶部２０３に保存される。
【０１２０】
ステップＳ９０９で、スレッド一覧メールが作成される。
【０１２１】
［実施の形態における効果］
以上のように、本実施の形態における掲示板管理システムによると、電子メールで掲示板の内容が利用者の端末に送信されるため、利用者は閲覧している投稿内容を保存するための特別な操作が不要である。また、容易に閲覧している投稿内容を転送できることができるという効果がある。
【０１２２】
また、表示された情報の更新方法に関して、以下の利点がある。本システムにおいて、利用者が受信したカテゴリ一覧メールやスレッド一覧メールやスレッド本文メールの内容を更新するには、受信したそれらのメールを返信すれば、本文が更新されたメールを受信することができるので、簡単に情報の更新を行なうことができる。
【０１２３】
たとえば、利用者が、最初にカテゴリ一覧メールを要求するために、空メールをtop@bbs.jp宛に送信すると、サーバは、送信元にtop@bbs.jpをセットしたカテゴリ一覧メールを利用者に返信する。利用者は、この受信したメールを返信するだけで、更新されたカテゴリ一覧のメールを受信できる。すなわち、利用者は、管理者がカテゴリを増やしたかどうか見るために、自分の都合のいい時間で、過去に受信したカテゴリ一覧メールを返信すると、内容が更新されたカテゴリ一覧メールを受信することができる。このとき、メールアドレスの入力は、最初の１回で済み、受信したメールは、削除されない限り、保存されるので、メールアドレスの入力を改めて行なう必要がない。
【０１２４】
これは、ブラウザの更新ボタンを押すことで、ブラウザ上に表示されているページの内容を最新にする動作に対応する。
【０１２５】
従来あるメールマガジンや、投稿内容をメールで送信するシステムは、サーバから一方的に送信されるので、利用者が受信したくないときに送信されてきたり、送信を一時的に止めるために、利用者自身がサイトへアクセスして、配信停止の設定を行なったり、受信者にとって使い勝手が悪いものであった。しかし、本システムでは、一旦受信したメールを返信するだけで、メールの本文の内容を更新できるので、更新のタイミングを利用者の都合に合わせて、情報を取得することができ、また、配信を止める設定を行なう必要がない。
【０１２６】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２７】
【図１】本発明の実施の形態の１つにおける電子掲示板管理システムの構成を示す図である。
【図２】データ記憶サーバ２００の構成を示す図である。
【図３】利用者が、端末に内蔵されているメールソフトを用いて本システムを利用したときに、端末の画面に表示されるメール送信フォームや受信メールの内容を示す図である。
【図４】利用者が、端末に内蔵されているメールソフトを用いて本システムを利用したときに、端末の画面に表示されるメール送信フォームや受信メールの内容を示す図である。
【図５】カテゴリ記憶部２０１に記憶されるデータの具体例を示す図である。
【図６】スレッド記憶部２０３に記憶されるデータの具体例を示す図である。
【図７】投稿記憶部２０５に記憶されるデータの具体例を示す図である。
【図８】投稿サーバ１００の、メール判定部１１３の動作を示すフローチャートである。
【図９】カテゴリ一覧、スレッド一覧、およびスレッド本文の作成処理において携帯電話やパーソナルコンピュータなどの端末とサーバとの間で行なわれる処理を示すフローチャートである。
【図１０】投稿詳細メールを作成する処理において携帯電話やパーソナルコンピュータなどの端末とサーバとの間で行なわれる処理を示すフローチャートである。
【図１１】投稿を受付ける処理において携帯電話やパーソナルコンピュータなどの端末とサーバとの間で行なわれる処理を示すフローチャートである。
【図１２】スレッドを作成する処理において携帯電話やパーソナルコンピュータなどの端末とサーバとの間で行なわれる処理を示すフローチャートである。
【図１３】カテゴリ一覧メールを作成する処理を示すフローチャートである。
【図１４】カテゴリ一覧メールの構成を示す図である。
【図１５】スレッド一覧メールを作成する処理を示すフローチャートである。
【図１６】スレッド一覧メールの構成を示す図である。
【図１７】スレッド本文メールを作成する処理を示すフローチャートである。
【図１８】スレッド本文メールの構成を示す図である。
【図１９】投稿詳細メールを作成する処理を示すフローチャートである。
【図２０】投稿を受付ける処理を示すフローチャートである。
【図２１】スレッドを作成する処理を示すフローチャートである。
【符号の説明】
【０１２８】
１００  投稿サーバ、１０１  カテゴリ一覧作成部、１０３  スレッド一覧作成部、１０５  スレッド作成部、１０７  投稿詳細作成部、１０９  スレッド本文作成部、１１１  投稿受付部、１１３  メール判定部、１１５  メールヘッダ作成部、２００  データ記憶サーバ、２０１  カテゴリ記憶部、２０３  スレッド記憶部、２０５  投稿記憶部、３００  メールサーバ、４００  パーソナルコンピュータ、５００  携帯電話。
【図１】
2006119821.tif 000003
【図２】
2006119821.tif 000004
【図３】
2006119821.tif 000005
【図４】
2006119821.tif 000006
【図５】
2006119821.tif 000007
【図６】
2006119821.tif 000008
【図７】
2006119821.tif 000009
【図８】
2006119821.tif 000010
【図９】
2006119821.tif 000011
【図１０】
2006119821.tif 000012
【図１１】
2006119821.tif 000013
【図１２】
2006119821.tif 000014
【図１３】
2006119821.tif 000015
【図１４】
2006119821.tif 000016
【図１５】
2006119821.tif 000017
【図１６】
2006119821.tif 000018
【図１７】
2006119821.tif 000019
【図１８】
2006119821.tif 000020
【図１９】
2006119821.tif 000021
【図２０】
2006119821.tif 000022
【図２１】
2006119821.tif 000023